(57)【要約】【課題】表示パネルユニットが取り付けられた誘導灯において、光源モジュール、バッテリの交換作業を行う場合、表示パネルユニットを取り外すことなく交換作業ができる誘導灯を提供する。【解決手段】照明装置１０００は、取付部材２００に取り付けられた器具本体１１０に対して、表示パネルユニット１２３が前面に配置された箱形状の外郭部１２０を、いわゆるカートリッジ方式で着脱できる。つまり、照明装置１０００は、器具本体１１０と外郭部１２０とからなる２部構成であるので、外郭部１２０を取り外すことで、表示パネルユニット１２３を取り外すことなく、光源モジュールあるいはバッテリの交換作業が可能になり、部品交換の工程を簡素化できる。【選択図】図３
2013218864.tif 000002
【特許請求の範囲】
【請求項１】
略箱形状をなす筐体であって、前記略箱形状の側面をなす４つの側面部のうちの少なくとも一つの側面部に開口が形成され、前記略箱形状の前記４つの側面部に対する他の２面のうちの前面をなす前面部は導光体と前記導光体によって導かれた光を透過させる表示パネルとを有する表示パネルユニットが配置されて形成されると共に、相手側の係合部と係合することで前記相手側の係合部と脱着可能に係合する第１の係合部が内部に配置された筐体と、
前記筐体の前記内部に収納される器具本体であって、前記表示パネルユニットの前記導光体に光を入射する光源を有する配置部品である光源モジュールと、前記光源モジュールの前記光源を点灯させる点灯装置が収納された配置部品である点灯装置ケースと、前記第１の係合部に対して前記相手側の係合部となる配置部品である第２の係合部とのそれぞれの前記配置部品と、それぞれの前記配置部品が配置される板状部材とを有する器具本体とを備え、
前記筐体は、
前記器具本体を前記側面部の前記開口から前記内部に挿入されると、前記第１の係合部が、前記第２の係合部と係合することで、前記器具本体と脱着可能に取り付けられて前記器具本体を前記内部に収納することを特徴とする照明装置。
【請求項２】
前記筐体の前記第１の係合部と、前記器具本体の前記第２の係合部とは、
いずれか一方が板バネであり、他方が前記板バネに復元力を発生させた状態で前記板バネを受けるバネ受け部材であることを特徴とする請求項１記載の照明装置。
【請求項３】
前記筐体の前記第１の係合部は、
前記バネ受け部材であり、
前記器具本体の前記第２の係合部は、
前記板バネであることを特徴とする請求項２記載の照明装置。
【請求項４】
前記照明装置は、
使用状態において、前記筐体の前記４つの側面部のうちの一つの側面部が上側となり、
前記筐体は、
前記開口が、前記照明装置の使用状態で上側となる側面部に形成されたことを特徴とする請求項１〜３のいずれかに記載の照明装置。
【請求項５】
前記器具本体の前記板状部材は、さらに、前記配置部品として、
前記点灯装置ケースに収納された前記点灯装置に電源を供給するバッテリが配置されたことを特徴とする請求項１〜４のいずれかに記載の照明装置。
【請求項６】
前記器具本体の前記板状部材は、
外縁領域が折り曲げられて壁状の壁部が形成され、前記壁部に前記配置部品が取り付けられることを特徴とする請求項１〜５のいずれかに記載の照明装置。
【請求項７】
前記照明装置は、
誘導灯装置であることを特徴とする請求項１〜６のいずれかに記載の照明装置。
【発明の詳細な説明】
【技術分野】
【０００１】
この発明は、照明装置の筐体と、筐体に収納される器具本体との、組み付け構造に関する。
【背景技術】
【０００２】
従来のこの種の照明装置としては、例えば特許文献１、特許文献２に記載されるような、表面表示手段の上辺側の一辺に設けられた光源と、表面表示手段とによって、器具本体の四角形状の開口部を閉塞する構成が知られている。
【先行技術文献】
【特許文献】
【０００３】
【特許文献１】特開２０００−１４９６２６号公報
【特許文献２】特開２００６−７３５４０号公報
【発明の概要】
【発明が解決しようとする課題】
【０００４】
しかしながら、特許文献１、特許文献２の場合は、「光源と表面表示手段」とによって開口を閉塞している構成なので、光源若しくはバッテリの交換作業を行う場合、必ず前記２部品（光源と表面表示手段）を取り外さないと交換作業が実施できないという課題があった。
【０００５】
この発明は、表示パネルユニット、表示パネルユニットが取り付けられる筐体、筐体に収納される光源モジュールを備えた照明装置（例えば誘導灯）において、光源若しくはバッテリの交換作業を行う場合に、表示パネルユニットを取り外すことなく、光源若しくはバッテリを取り付け及び取り外しのできる照明装置の提供を目的とする。
【課題を解決するための手段】
【０００６】
この発明の照明装置は、
略箱形状をなす筐体であって、前記略箱形状の側面をなす４つの側面部のうちの少なくとも一つの側面部に開口が形成され、前記略箱形状の前記４つの側面部に対する他の２面のうちの前面をなす前面部は導光体と前記導光体によって導かれた光を透過させる表示パネルとを有する表示パネルユニットが配置されて形成されると共に、相手側の係合部と係合することで前記相手側の係合部と脱着可能に係合する第１の係合部が内部に配置された筐体と、
前記筐体の前記内部に収納される器具本体であって、前記表示パネルユニットの前記導光体に光を入射する光源を有する配置部品である光源モジュールと、前記光源モジュールの前記光源を点灯させる点灯装置が収納された配置部品である点灯装置ケースと、前記第１の係合部に対して前記相手側の係合部となる配置部品である第２の係合部とのそれぞれの前記配置部品と、それぞれの前記配置部品が配置された板状部材とを有する器具本体とを備え、
前記筐体は、
前記器具本体を前記側面部の前記開口から前記内部に挿入されると、前記第１の係合部が、前記第２の係合部と係合することで、前記器具本体と脱着可能に取り付けられて前記器具本体を前記内部に収納することを特徴とする。
【発明の効果】
【０００７】
配置部品が搭載されるベースとなる板状の部材と、板状の部材に搭載される発光素子が実装された基板を搭載する光源モジュール、光源点灯手段となる電気部品を収納するケースを有した器具本体と、これら器具本体を覆う、表面表示手段である器具本体に搭載された光源モジュールの発光面を備えた四角形状の筐体（外郭）の２部構成とする。これによって、外郭１部品を取り外すことで、例えば光源（バッテリが搭載される場合はバッテリも含む）の交換作業が可能になり、部品交換の工程を簡素化できる。
【図面の簡単な説明】
【０００８】
【図１】実施の形態１の照明装置１０００の前面を示す斜視図。
【図２】実施の形態１の照明装置１０００の背面を示す斜視図。
【図３】実施の形態１の照明装置１０００の分解斜視図。
【図４】実施の形態１の外郭部１２０の部品構成を示す斜視図。
【図５】実施の形態１の照明装置１０００の（ａ）正面図、（ｂ）側面図、（ｃ）上面図。
【図６】実施の形態１の照明装置１０００の表示パネルユニット１２３と光源モジュール１１２との位置関係を示す図。
【図７】実施の形態１の照明装置１０００の表示パネルユニット１２３の構成を示す図。
【発明を実施するための形態】
【０００９】
実施の形態１．
図１は、照明装置１０００（誘導灯の例）の斜視図である。図２は、図１に示す照明装置１０００を背面から見た斜視図である。図３は照明装置１０００の分解斜視図である。図３は、取付部材２００に取り付けられた器具本体１１０に外郭部１２０を取り付ける状態を示す。図４は、外郭ケース１２１への表示パネルユニット１２３の取り付けを示す。図５は、照明装置１０００の（ａ）正面図、（ｂ）側面図、（ｃ）上面図を示す。図６は、照明装置１０００の表示パネルユニット１２３と光源モジュール１１２との位置関係を示す。図７は、照明装置１０００の表示パネルユニット１２３の構成を示す。
【００１０】
（照明装置１０００の特徴）
照明装置１０００の特徴は、図３に示すように、取付部材２００に取り付けられた器具本体１１０に対して、表示パネルユニット１２３が前面に配置された箱形状の外郭部１２０を、いわゆるカートリッジ方式で着脱できる点にある。つまり、照明装置１０００は、器具本体１１０と外郭部１２０とからなる２部構成であるので、外郭部１２０を取り外すことで、例えば光源モジュール（バッテリが搭載される場合はバッテリも含む）の交換作業が可能になり、部品交換の工程を簡素化できる。また、外郭部１２０を器具本体１１０に取り付けることも取り外しの逆の操作であり容易である。
【００１１】
（照明装置１０００の構成）
図１〜図３を参照して照明装置１０００の構成を説明する。照明装置１０００は、器具本体１１０と外郭部１２０とを備える。
【００１２】
（器具本体１１０）
図３に示すように、器具本体１１０は、板状部材１１１、光源モジュール１１２、電気部品ケース１１３（点灯装置ケース）、接続器１１４、インジケータ及び点検スイッチ１１５、バッテリ１１６、電線１１７、バネ１１８（板バネ）を備える。
（１）板状部材１１１は各種の部品が搭載される。
（２）光源モジュール１１２は、板状部材１１１に搭載され、発光素子（ＬＥＤ）が実装された基板を搭載する。
（３）電気部品ケース１１３は、光源点灯装置等の電気部品を収納するケースである。
（４）接続器１１４は、電源の供給を受ける部品である。
（５）インジケータ及び点検スイッチ１１５は、照明装置１０００の状態を示す。
（６）バッテリ１１６は、非常時に光源点灯装置等に電力を供給する。
（７）電線１１７は、部品同士を接続する。
（８）バネ１１８は外郭部１２０を係止する。
【００１３】
（外郭部１２０）
図４に示すように、外郭部１２０は、器具本体１１０を覆う外郭ケース１２１と、外郭ケース１２１の前面となる表示パネルユニット１２３（表面表示手段）、バネ１１８と係合して外郭ケース１２１を器具本体１１０に固定するバネ受け部材１２２を備える。
【００１４】
以下に照明装置１０００の構成を、さらに説明する。
【００１５】
（外郭部１２０）
外郭部１２０は、外郭ケース１２１、バネ受け部材１２２、表示パネルユニット１２３から構成される。
（１）外郭ケース１２１（筐体）は、図３に示すように略箱形状であって、略箱形状の側面をなす４つの側面部のうちの一つの側面部に開口１２４が形成されている。照明装置１０００では、図２、図３に示すように使用状態において、外郭ケース１２１の４つの側面部のうちの一つの側面部１２５が上側となるが、開口１２４は、この側面部１２５に形成されている。
（２）図７に表示パネルユニット１２３の構成を示した。図７は表示パネルユニット１２３の構成例を示す図である。表示パネルユニット１２３は、板形状の導光板１２３−１（導光体）、表示パネル１２３−２を備える。導光板１２３−１は、板形状の厚みとして現れる端面が光の入射面１２３−１ａとなる。導光板１２３−１、表示パネル１２３−２は、パネル枠１２３−３に取り付けられる。また、図７に示すように、表示パネル１２３−２と導光板１２３−１との間、及び導光板１２３−１とパネル枠１２３−３との間には、それぞれ光学シート１２３−４、反射シート１２３−５が取り付けられる。
【００１６】
外郭ケース１２１は、略箱形状の４つの側面部１２５〜１２８に対する他の２面のうちの前面をなす前面部１２９（図１、図３）については、導光板１２３−１と導光板１２３−１によって導かれた光を透過させる表示パネル１２３−２とを有する表示パネルユニット１２３が配置されて、前面部１２９を形成される。外郭ケース１２１は、器具本体１１０のバネ１１８（相手側の係合部、第２の係合部）と係合することでバネ１１８と脱着可能に係合するバネ受け部材１２２（第１の係合部）が内部に配置されている。
【００１７】
（器具本体１１０）
器具本体１１０は、図２、図５のように、外郭ケース１２１の内部に収納される。器具本体１１０は、光源モジュール１１２、電気部品ケース１１３、バネ１１８等が、配置部品として配置される。
（１）光源モジュール１１２は、表示パネルユニット１２３の導光板１２３−１に光を入射する光源（ＬＥＤ）を有する（図６）。
（２）電気部品ケース１１３は光源モジュール１１２の光源を点灯させる点灯装置が収納される。
（３）バネ１１８は、バネ受け部材１２２に対して相手側の係合部となる。
（４）板状部材１１１は、光源モジュール１１２、電気部品ケース１１３，接続器１１４、インジケータ及び点検スイッチ１１５、バッテリ１１６、電線１１７、バネ１１８等が配置される。板状部材１１１は、図３に示すように、外縁領域１１９が折り曲げられて壁状の壁部が形成され、壁部に光源モジュール１１２〜バネ１１８等の配置部品が取り付けられる。
【００１８】
（照明装置１０００の施工方法）
次に図３を参照して、照明装置１０００の施工方法を説明する。
（１）まず取付部材２００を天井３００に施工する。
（２）次いで、光源モジュール１１２等の各配置部品が搭載された状態の板状部材１１１である器具本体１１０を、取付部材２００に取り付ける。
（３）最後に、バネ受け部材１２２、表示パネルユニット１２３が取り付けられた状態の外郭ケース１２１である外郭部１２０を、器具本体１１０に取り付ける。その際、外郭部１２０が器具本体１１０に取り付くのは、外郭部１２０のバネ受け部材１２２にバネ１１８が引っかかると同時に、バネ１１８の復元力によって、外郭部１２０が天井３００側に引っ張られるからである。つまり、バネ１１８（板バネ）の折り曲げ部１１８−１がバネ受け部材１２２の開口１２２−１に内側から嵌ることで、バネ復元力によって外郭部１２０が器具本体１１０に対して固定される。
（４）また、バネ１１８は、折り曲げ部１１８−１で開口１２２−１に嵌っているので、図３の矢印と反対方向に外郭部１２０を引っ張ることで、外郭部１２０を器具本体１１０から簡単に外すことができる。
【００１９】
（エンボス加工）
また、照明装置１０００は部品が搭載される板状部材１１１の背面にエンボス１１１−１が設けられている。照明装置１０００を壁面に施工する際もこのエンボス１１１−１によって壁面との間に隙間ができるようにしているので、この隙間に下側から外郭部１２０を滑り込ませて、器具本体１１０に取り付けて、また外すことができる。
【００２０】
以上に説明した照明装置１０００では、器具本体１１０にバネ１１８を配置し、外郭部１２０にバネ受け部材１２２を配置したが、逆でも構わない。つまり器具本体１１０にバネ受け部材を配置し、外郭部１２０にバネを配置してもよい。
【００２１】
また、以上に説明した照明装置１０００では、外郭ケース１２１の側面部１２５に開口を形成する場合を説明した。しかし、これは一例であり、器具本体１１０に対して外郭部１２０が、いわゆるカートリッジ方式で装着できる態様であれば、開口は側面部１２５〜１２９のどの側面部に設けてもよいし、複数の側面部に設けても構わない。
【符号の説明】
【００２２】
１１０  器具本体、１１１  板状部材、１１１−１  エンボス、１１２  光源モジュール、１１３  電気部品ケース、１１４  接続器、１１５  インジケータ及び点検スイッチ、１１６  バッテリ、１１７  電線、１１８  バネ、１１９  外縁領域、１２０  外郭部、１２１  外郭ケース、１２２  バネ受け部材、１２３  表示パネルユニット、１２３−１  導光板、１２３−２  表示パネル、１２３−３  パネル枠、１２３−４  光学シート、１２３−５  反射シート、１２４  開口、１２５，１２６，１２７，１２８  側面部、１２９  前面部、１０００  照明装置、２００  取付部材、３００  天井。
【図１】
2013218864.tif 000003
【図２】
2013218864.tif 000004
【図３】
2013218864.tif 000005
【図４】
2013218864.tif 000006
【図５】
2013218864.tif 000007
【図６】
2013218864.tif 000008
【図７】
2013218864.tif 000009